(57)【要約】  物体を構造物に固定するためのアンカープラットフォームアセンブリは、略平面の第１の表面及び第２の表面、ベースプレートに結合され、その第１の表面から外側に突出する細長いポストを有するアンカーベースプレートを含んでいる。ポストは、アンカーベースプレートに固定される第１の端部、第２の自由端部、及び、アンカーベースプレートの第１の表面からポストに延在する少なくとも部分的にねじが切られる円筒形ブラインド孔を有し、アンカーベースプレートの第２の表面は、ポストによって覆われる第２の表面の領域を除いて、構造物が第２の表面に対して略面一になることを可能にするよう構成される。平行ねじを有する円筒形の機械的締結具は、ブラインド孔を介して物体をアンカーベースプレートに締着させるために用いられる。デュアルポストアンカーアセンブリも開示されている。【選択図】図４ａ
2021532292.tif 000002
【特許請求の範囲】
【請求項１】
物体を構造物に固定するためのアンカープラットフォームアセンブリであって、
略平面の第１の表面及び第２の表面、ベースプレートに結合され、その前記第１の表面から外側に突出する細長いポストを有するアンカーベースプレートであって、前記ポストは、前記アンカーベースプレートに固定される第１の端部及び第２の自由端部、並びに前記アンカーベースプレートの前記第１の表面から前記ポストに延在する少なくとも部分的にねじが切られる円筒形のブラインド孔を有し、前記アンカーベースプレートの前記第２の表面は、前記構造物が、前記ポストによって覆われる前記第２の表面の領域を除いて、前記第２の表面に対して略面一にあることを可能にするよう構成される、アンカーベースプレートと、
平行ねじを有する円筒形の機械的締結具を備える、前記ブラインド孔を介して前記アンカーベースプレートに物体を締着させるための手段と、を備えるアンカープラットフォームアセンブリ。
【請求項２】
前記アンカーベースプレートを構造物に締着させるための手段を更に含み、その前記第２の表面は、前記ポストによって覆われる前記第２の表面の前記領域を除いて、前記構造物に対して略面一にある、請求項１に記載のアンカープラットフォームアセンブリ。
【請求項３】
前記アンカーベースプレートは矩形であり、前記ブラインド孔は前記アンカーベースプレートの略中央に配設され、前記アンカーベースプレートは、前記ブラインド孔から離間される複数の離間した補助貫通孔を有する、請求項１に記載のアンカープラットフォームアセンブリ。
【請求項４】
前記アンカーベースプレートを前記構造物に締着させるための前記補助孔の１つを通ってそれぞれが受け入れ可能な複数の機械的締結部材を含む、請求項３に記載のアンカープラットフォームアセンブリ。
【請求項５】
前記機械的締結具は、拡大ヘッドを有するボルトと、前記平行ねじを有するねじステムとを備える、請求項１に記載のアンカープラットフォームアセンブリ。
【請求項６】
前記アンカーベースプレートポストは円筒形である、請求項１に記載のアンカープラットフォームアセンブリ。
【請求項７】
前記ポストは少なくとも部分的に雄ねじである、請求項６に記載のアンカープラットフォームアセンブリ。
【請求項８】
前記アンカープラットフォームアセンブリを前記構造物に下から固定するための前記雄ねじポストに受け入れ可能なナットを更に含む、請求項７に記載のアンカープラットフォームアセンブリ。
【請求項９】
前記アンカーベースプレートはステンレス鋼からできている、請求項１に記載のアンカープラットフォームアセンブリ。
【請求項１０】
前記アンカーベースプレートは、前記ブラインド孔と合流するねじのない貫通孔を有し、前記ポストは、前記ねじのない貫通孔内部での受け入れのために構成され、寸法が決められるその第１の端部に隣接する小径ネック部分を有する、請求項５に記載のアンカープラットフォームアセンブリ。
【請求項１１】
前記ポストは少なくとも部分的に雄ねじである、請求項１０に記載のアンカープラットフォームアセンブリ。
【請求項１２】
前記アンカーベースプレートはステンレス鋼からできている、請求項１１に記載のアンカープラットフォームアセンブリ。
【請求項１３】
ベース壁部孔がねじブラインド孔と整列して、物体支持部材を前記アンカーベースプレートに締着させるように、ねじボルトが前記ベース壁部孔を通り且つ前記ねじブラインド孔に挿入されることを可能にするように、前記アンカーベースプレート上に位置決め可能なベース壁部及びそれを通して形成される孔を有する物体支持部材を更に含む、請求項５に記載のアンカープラットフォームアセンブリ。
【請求項１４】
略平面のベース壁部と、前記ベース壁部と共に、物体が挿入されてもよい開放端を有するチャネルを画成するそれぞれがその前記ベース壁部の対向する端部に接合される一対の直立して離間される側壁とを有する、物体用の細長いＵ字形の物体支持部材を更に含む、請求項５に記載のアンカープラットフォームアセンブリ。
【請求項１５】
前記物体支持部材は、更に、
それぞれがその前記ベース壁部の対向する端部に接合され、それぞれがそれを通って延在する貫通孔を有する一対の側壁と、
平面ベースと、前記平面ベースに接合される直立管状本体部材とを備える支持スタンドであって、前記平面ベースは、前記アンカーベースプレートの前記ねじブラインド孔と整列可能であり、前記支持スタンドの前記平面ベースを前記アンカーベースプレートに締着させるように前記ねじボルトがベース貫通孔を通って前記ねじブラインド孔に挿入されることを可能にするそれを通って形成される貫通孔を有し、前記管状本体部材は対向する側壁を有し、それぞれが前記対向する側壁の前記貫通孔と整列する貫通孔を有する、支持スタンドと、
前記支持スタンドの前記側壁貫通孔の少なくとも１つ及び前記物体支持部材の前記側壁貫通孔の少なくとも１つを介して、前記物体支持部材を前記支持スタンドに機械的に締着させるための手段と、を含み、
前記支持スタンドは、その前記ベース壁部の前記貫通孔を介して前記アンカーベースプレートに、及び、前記ボルトを介して前記アンカーベースプレートの前記ねじブラインド孔に機械的に締着される、請求項１３に記載のアンカープラットフォームアセンブリ。
【請求項１６】
前記物体として避雷針を更に含み、前記避雷針は下端を有し、前記物体を締着させるための手段は、前記ブラインド孔内に螺合して受け入れ可能な前記下端に設けられる、請求項１に記載のアセンブリ。
【請求項１７】
前記避雷針の前記下端の上の前記避雷針に設けられる拡大カラーを更に含む、請求項１６に記載のアセンブリ。
【請求項１８】
前記物体として避雷針を更に含み、前記避雷針は、前記雄ねじポスト上で螺合して受け入れ可能なナットが結合された下端を有する、請求項１１に記載のアセンブリ。
【請求項１９】
前記アンカーベースプレートは、それが傾斜屋根に取り付けられることを可能にするよう曲げられる、請求項１６に記載のアセンブリ。
【請求項２０】
前記プレートは、前記ブラインド孔が延在する平面中央部分と、前記平面中央部分の両側に接合され、そこから延在する一対の下方に延在する翼とを有する、請求項１９に記載のアセンブリ。
【請求項２１】
接地ケーブル用のクランプを更に含み、前記クランプは前記雄ねじポスト上で螺合して受け入れ可能である、請求項７に記載のアセンブリ。
【請求項２２】
前記ポストは少なくとも部分的にねじが切られるねじを備える、請求項１に記載のアセンブリ。
【請求項２３】
前記アンカーベースプレートはフランジを備える、請求項２２に記載のアセンブリ。
【請求項２４】
前記フランジは略円形の平面フランジである、請求項２３に記載のアセンブリ。
【請求項２５】
貫通孔を有する多角形ナットは、その貫通孔が前記ベースプレートの前記ブラインド孔と軸方向に整列及び位置合わせされた状態で前記ベースプレートの上面に取り付けられる、請求項２４に記載のアセンブリ。
【請求項２６】
前記多角形ナットは六角形ナットである、請求項２５に記載のアンカープラットフォームアセンブリ。
【請求項２７】
前記ねじは、開口上端及び開口下端と共に貫通孔を有する上部管状ネック部分を有し、その下開口端は、前記ポストの前記少なくとも部分的にねじが切られるブラインド孔を共に画成する下部雄ねじシャフト部分内部でねじ孔と合流する、請求項２２に記載のアセンブリ。
【請求項２８】
前記ネック部分の前記貫通孔は少なくとも部分的にねじが切られている、請求項２７に記載のアセンブリ。
【請求項２９】
前記ブラインド孔は長手方向に延在する軸を有し、前記アセンブリは、前記ブラインド孔の前記軸を中心としてアンカーを回転させるための手段を更に含む、請求項２７に記載のアセンブリ。
【請求項３０】
前記回転させるための手段は、支持構造に前記アンカーを回転させるためのツールを収容するよう構成及び寸法決めされる前記管状ネック部分の前記開口上端に隣接し、その内部に形成されるポートを備える、請求項２９に記載のアセンブリ。
【請求項３１】
前記ポートは、皿ねじスロットとして構成され、寸法決めされる、請求項３０に記載のアセンブリ。
【請求項３２】
前記ポートは、アレンキーポートとして構成され、寸法決めされる、請求項３１に記載のアセンブリ。
【請求項３３】
前記機械的締結具は、拡大ヘッドを有するボルトと、前記平行ねじを有するねじステムとを備える、請求項２２に記載のアセンブリ。
【請求項３４】
前記アンカーベースプレートを支持構造に締着させるための手段を更に含み、その底面は、前記ポストによって覆われる前記底面の領域を除いて、前記支持構造の少なくとも一部に対して略面一にある、請求項２２に記載のアセンブリ。
【請求項３５】
前記物体として避雷針を更に含み、前記避雷針は下端を有し、前記物体を締着させるための手段は、前記ブラインド孔内に螺合して受け入れ可能な前記下端に設けられる、請求項２２に記載のアセンブリ。
【請求項３６】
前記避雷針の前記下端の上の前記避雷針内に設けられる拡大カラーを更に含む、請求項３５に記載のアセンブリ。
【請求項３７】
接地ケーブル用のクランプを更に含み、前記クランプはその拡大カラーの下の前記避雷針の前記下端に螺合して受け入れ可能である、請求項３５に記載のアセンブリ。
【請求項３８】
前記物体として機能する接地ケーブル用のクランプを更に含み、前記クランプは前記避雷針の前記下端に受け入れ可能である、請求項３５に記載のアセンブリ。
【請求項３９】
前記アンカーベースプレートはフランジを備える、請求項３８に記載のアセンブリ。
【請求項４０】
前記フランジは略円形の平面フランジである、請求項３９に記載のアセンブリ。
【請求項４１】
貫通孔を有する多角形ナットは、その貫通孔が前記ベースプレートの前記ブラインド孔と軸方向に整列及び位置合わせされた状態で前記ベースプレートの上面に取り付けられる、請求項４０に記載のアセンブリ。
【請求項４２】
前記多角形ナットは六角形ナットである、請求項４１に記載のアンカープラットフォームアセンブリ。
【請求項４３】
開口上端及び開口下端と共に貫通孔を有する細長い管状ネック部分を更に含み、その下開口端は、その貫通孔が前記ベースプレートの前記ブラインド孔と軸方向に整列及び位置合わせされた状態で前記ベースプレートの前記上面に取り付けられる、請求項４２に記載のアセンブリ。
【請求項４４】
前記ネック部分の前記貫通孔は少なくとも部分的にねじが切られている、請求項４３に記載のアセンブリ。
【請求項４５】
前記ブラインド孔は長手方向に延在する軸を有し、前記アセンブリは、前記ブラインド孔の前記軸を中心としてアンカーを回転させるための手段を更に含む、請求項４３に記載のアセンブリ。
【請求項４６】
前記回転させるための手段は、支持構造に前記アンカーを回転させるためのツールを収容するよう構成及び寸法決めされる前記細長いネック部分の前記開口端に隣接し、その内部に形成されるポートを備える、請求項４５に記載のアセンブリ。
【請求項４７】
物体を構造物に固定するためのアンカープラットフォームアセンブリであって、
略平面の第１の表面及び第２の表面、２つの円筒形ポストであって、それぞれが、前記２つのポストがアンカーベースプレート貫通孔と軸方向に整列及び位置合わせされ、アンカーベースプレートから外側に垂直に延在するように、その第１の端部が互いに固定され、前記ポストの少なくとも１つが前記アンカーベースプレート内の前記貫通孔内に延在する状態で、前記アンカーベースプレートに固定される第１の端部を有し、前記ポストはそれぞれ第２の自由端を有する、２つの円筒形ポストを有するアンカーベースプレートであって、前記アンカーベースプレートの前記第２の表面は、前記構造物が前記ポストによって覆われる前記第２の表面の領域を除いて、前記第２の表面に対して略面一にあることを可能にするよう構成される、アンカーベースプレートと、
平行ねじを有する円筒形の機械的締結具を備える前記ポストのうちの少なくとも１つを介して前記アンカーベースプレートに物体を締着させるための手段と、を備えるアンカープラットフォームアセンブリ。
【請求項４８】
前記ポストのうちの前記少なくとも１つは雄ねじである、請求項６４に記載のアンカープラットフォームアセンブリ。
【請求項４９】
前記ポストの両方は雄ねじである、請求項６４に記載のアンカープラットフォームアセンブリ。
【請求項５０】
少なくとも１つのポストは、直線縁部を有する少なくとも部分的にねじが切られる円筒形スタッドを備える、請求項１に記載のアセンブリ。
【請求項５１】
前記ポストのうちの少なくとも１つは、その前記自由な第２の端部に開口して、その内部に形成される少なくとも部分的にねじが切られる円筒形ブラインド孔を有する、請求項４７に記載のアセンブリ。
【請求項５２】
前記ブラインド孔は長手方向に延在する軸を有し、前記アセンブリは、前記ブラインド孔の前記軸を中心としてアンカーを回転させるための手段を更に含む、請求項５１に記載のアセンブリ。
【請求項５３】
前記回転させるための手段は、前記ブラインド孔の開口上端に隣接し且つその内部に形成されるポートを備える、請求項５２に記載のアセンブリ。
【請求項５４】
前記ポートは、皿ねじスロットとして構成され、寸法決めされる、請求項５３に記載のアセンブリ。
【請求項５５】
前記ポートは、アレンキーポートとして構成され、寸法決めされる、請求項５３に記載のアセンブリ。
【請求項５６】
物体を前記ポストのうちの少なくとも１つに締着させるための手段を更に含む、請求項４７に記載のアセンブリ。
【請求項５７】
前記ポストのうちの１つに受け入れられる貫通孔を有するソーラーパネル用のＬ字形支持体を更に含む、請求項５６に記載のアセンブリ。
【請求項５８】
Ｌ字形支持体を前記アンカーベースプレートに対してクランプするよう、前記雄ねじポストに受け入れられるナットを更に含む、請求項４８に記載のアセンブリ。
【請求項５９】
前記ポストの両方は、その前記自由な第２の端部に開口して、その内部に形成される少なくとも部分的にねじが切られる円筒形ブラインド孔を有する、請求項５１に記載のアセンブリ。
【請求項６０】
前記２つのポストは異なる直径を有する、請求項４７に記載のアセンブリ。
【請求項６１】
前記２つのポストは同じ直径を有する、請求項４７に記載のアセンブリ。
【請求項６２】
前記アンカープレートは、接着剤のその内部への受け入れのためのその少なくとも片側に形成されるチャネルを有する、請求項４７に記載のアセンブリ。
【請求項６３】
前記チャネルは、円形であり、前記アンカーベースプレート内の前記貫通孔の外側に間隔を空けて配置される、請求項６２に記載のアセンブリ。
【請求項６４】
物体として機能する避雷針を更に含み、前記避雷針は下端を有し、前記物体を締着させるための手段は、前記ブラインド孔内に螺合して受け入れ可能な前記下端に設けられる、請求項５１に記載のアセンブリ。
【請求項６５】
接地ケーブル用のクランプを更に含み、前記クランプは前記雄ねじポスト上で螺合して受け入れ可能である、請求項４８に記載のアセンブリ。
【発明の詳細な説明】
【技術分野】
【０００１】
[001]  この出願は、２０１８年９月２４日米国出願の米国仮特許出願第６２／７０２，４８６号の利益を主張し、２０１９年２月１９日出願の米国ＰＣＴ出願第ＰＣＴ／ＵＳ２０１９／０１８５９２号の一部継続であり、これは、更には、２０１７年１２月２２日出願の米国非仮特許出願第１５／８５２，７３３号の継続である２０１８年１２月１３日出願の米国非仮特許出願第ＰＣＴ／ＵＳ２０１８／０６５４６５号の一部継続であり、そのそれぞれを引用して本明細書中に組み込む。
【０００２】
[002]  屋根付属構造物を、例えば、欄干、ソーラーパネル、避雷針等の屋根並びに他の隆起、平坦、及び傾斜構造物、テラス、バルコニー等に固定及び取り付ける一方で、強力、堅牢、及び防水接続を提供するための建築業において特に有用な支持構造に物体を固定及び取り付けるためのアンカープラットフォームアセンブリ。
【背景技術】
【０００３】
[003]  傾斜又は陸屋根、建物のテラス、ルーフデッキ等に取り付けられる屋根設備、付属構造物等を取り付け、防水するための様々な方法が周知されている。屋根業界において、特に水返しが組み込まれていない及び／又はシーラントのみに依存している場合、設備取り付けポイントにおける水の浸入により多くの問題が存在している。様々な被覆方法及びそれらの組み合わせが、アスファルト瓦、注入又はシート状プラスチック又はゴム膜等のようなかかる構造物上の水及び湿気バリアとして用いられている。現在、ソーラーパネル、衛星放送受信アンテナ、ＨＶＡＣ機器等のような、ますます重量のある屋根構造部が屋根に取り付けられている。
【０００４】
[004]  特にルーフデッキ、バルコニー、テラス等には、ガラスの壁及び／又は欄干が、木製、ケーブル、金属製フェンスの場合に通常あることのような障害物が見えないよう取り付けられている。これらの概して重量のある構造物は、また、屋根構造物にも固定する必要がある。しかし、それらが生成する荷重と、通常はアンカーが屋根にボルトで固定されるそれらが取り付けられる方法のため、接着剤又はグルーがかかる水の浸透を防ぐ試みにおいて導管を封止するために多くの場合用いられる事実にもかかわらず、水が屋根を通って浸透するための「導管」が作成される。
【０００５】
[005]  実際、時間の経過とともに、これらの重量構造物は、例えば、沈下、温度変化、及び／又は強風によって生じる通常の反復的な屋根の動き又は移動の結果として、用いられる接着剤又はグルーに亀裂を生じ、最終的に屋根の雨漏りを生じる。結果として、多くの設置業者にとって、かかる従来の固定及び取り付けシステムによって生じる水又は湿害に対する保証を提供したり、又は保険をかけたりすることは困難である。
【０００６】
[006]  本発明は、極めて有利で且つ効果的な方法でかかる問題を回避する新規の固定及び取り付けシステムを提供することによって、この問題を克服しようとするものである。
【０００７】
[007]  従って、本発明の目的は、多種多様な用途のため、特に、重負荷に適応することができる機器及び／又は屋根付属構造物を屋根等に固定するために使用可能な新規のアンカープラットフォームアセンブリを提供し、機器及び／又は屋根付属構造物の取り付けポイントにおいて防水保護を提供することにある。
【０００８】
[008]  本発明の更なる目的は、設計及び構造が比較的単純であり、設置が容易であり、作成が比較的安価である新規のアンカープラットフォームアセンブリを提供することにある。
【０００９】
[009]  本発明の別の目的は、陸屋根及び傾斜屋根の両方、並びにルーフデッキ、屋外バルコニー、テラス等を含む、様々な屋根又は隆起構造物に用いることができるかかる新規のアンカープラットフォームアセンブリを提供することにある。
【００１０】
[010]  発明の更に別の目的は、機器取り付け又は付属物ポイントにおいて防水接続を提供することにおいて従来技術のシステムよりも信頼性の高いかかる新規のアンカープラットフォームアセンブリを提供することにある。
【００１１】
[011]  本発明のより詳細な目的は、とりわけ、避雷針、アンテナ、ソーラーパネル、衛星放送受信アンテナ、安全レール、ガラス欄干、ＨＶＡＣ加熱空調設備、装飾彫刻、祭日用装飾品等を含む例えば屋根付属構造物等の構造物を支持するよう多数の多種多様な物体を固定及び取り付ける一方で、同時に、水密接続を提供するために普遍的に適応可能なかかる新規のアンカープラットフォームアセンブリを提供することにある。
【発明の概要】
【００１２】
[012]  ある一定の前述及び関連する目的は、略平面の第１の表面及び第２の表面、ベースプレートに結合され、その前記第１の表面から外側に突出する細長いポストを有するアンカーベースプレートであって、前記ポストは、前記アンカーベースプレートに固定される第１の端部及び第２の自由端部、並びに前記アンカーベースプレートの前記第１の表面から前記ポストに延在する少なくとも部分的にねじが切られる円筒形のブラインド孔を有し、前記アンカーベースプレートの前記第２の表面は、前記構造物が、前記ポストによって覆われる前記第２の表面の領域を除いて、前記第２の表面に対して略面一にあることを可能にするよう構成される、アンカーベースプレートと、平行ねじを有する円筒形の機械的締結具を備える、前記ブラインド孔を介して前記アンカーベースプレートに物体を締着させるための手段と、を含む、物体を構造物に固定するためのアンカープラットフォームアセンブリの提供によって本発明に従って達成される。
【００１３】
[013]  好ましくは、アセンブリは、前記アンカーベースプレートを構造物に締着させるための手段を更に含み、その前記第２の表面は、前記ポストによって覆われる前記第２の表面の領域を除いて、前記構造物に対して略面一にある。
【００１４】
[014]  好ましい実施形態において、アンカーベースプレートは矩形であり、ブラインド孔はアンカーベースプレートの略中央に配設され、アンカーベースプレートは、ブラインド孔から離間され、アンカーベースプレートの周辺に略隣接して配設される複数の離間した補助貫通孔を有する。最も有利には、アセンブリは、アンカーベースプレートを構造物に締着させるための補助孔の１つを通ってそれぞれが受け入れ可能な複数の機械的締結部材と、物体をそれに固定するための中央に配設されるねじブラインド孔内に螺合して受け入れ可能な機械的締結具とを含む。好ましくは、複数の機械的締結部材はねじであり、中央に配設されるねじブラインド孔に受け入れ可能な機械的締結具部材はねじボルトである。
【００１５】
[015]  最も望ましくは、ねじボルトは、拡大ヘッドと、前記平行ねじを有するねじステムとを有する。好ましい実施形態において、アンカーベースプレートポストは円筒形であり、その外面は平滑であるか、又は少なくとも部分的に雄ねじが切られている。後者の場合、アセンブリは、前記アンカープラットフォームアセンブリを構造物に下から固定するための前記雄ねじポスト上に受け入れ可能なナットを含むのが望ましい。特に好ましい実施形態において、アンカーベースプレートは、前記ブラインド孔と合流するねじのない貫通孔を有し、前記ポストは、前記ねじのない貫通孔内部での受け入れのために構成され、寸法が決められるその第１の端部に隣接する小径ネック部分を有する。
【００１６】
[016]  好ましくは、アンカープラットフォームアセンブリはまた、ベース壁部孔が前記ねじブラインド孔と整列するように、前記アンカーベースプレート上に位置決め可能なベース壁部及びそれを通して形成される孔を有する物体支持部材も含む。有利には、アセンブリは、略平面のベース壁部、平面ベースを有する支持スタンド、及び平面ベースに接合される直立した管状本体部材を有する物体のための細長いＵ字形支持体を更に含み、平面ベースは、アンカーベースプレートのブラインド孔と整列可能にそれを通って形成される貫通孔を有し、管状本体部材は、それぞれが対向する側壁内の貫通孔と整列する貫通孔を有する対向する側壁を有する。アセンブリはまた、貫通孔がそれを通って延在する少なくとも１つのベース壁部を有する物体支持部材と、支持スタンドの側壁貫通孔及び物体支持スタンドの壁を介して物体支持部材を支持スタンドに機械的に締着させるための手段と、そのベース壁部の貫通孔及びアンカーベースプレートのねじブラインド孔を介して支持スタンドをアンカーベースプレートに機械的に締着させるための手段と、を含む。
【００１７】
[017]  発明の別の実施形態において、アセンブリは、前記物体として避雷針を更に含み、前記避雷針は下端を有し、前記物体を締着させるための手段は、前記ブラインド孔内に螺合して受け入れ可能な前記下端に設けられる。有利には、拡大カラーが前記避雷針の前記下端の上の前記避雷針に設けられる。代替として、避雷針は、前記雄ねじポスト上で螺合して受け入れ可能なナットが結合された下端を有する。
【００１８】
[018]  最も有利には、アンカーベースプレートは、それが傾斜屋根に取り付けられることを可能にするよう曲げられる。望ましくは、アンカーベースプレートは、前記ブラインド孔が延在する平面中央部分と、前記平面中央部分の両側に接合され、そこから延在する一対の下方に延在する翼とを有する。好ましくは、アセンブリは、接地ケーブル用のクランプを更に含み、前記クランプは前記雄ねじポスト上で螺合して受け入れ可能である。発明の更なる実施形態において、ポストは少なくとも部分的にねじが切られるねじを備え、アンカーベースプレートはフランジを備える。望ましくは、フランジは略円形の平面フランジである。最も望ましくは、貫通孔を有する多角形ナットは、その貫通孔が前記ベースプレートの前記ブラインド孔と軸方向に整列及び位置合わせされた状態で前記ベースプレートの上面に取り付けられる。最も有利には、多角形ナットは六角形ナットである。
【００１９】
[019]  最も望ましくは、ねじは、開口上端及び開口下端と共に貫通孔を有する上部管状ネック部分を有し、その下開口端は、前記ポストの前記少なくとも部分的にねじが切られるブラインド孔を共に画成する下部雄ねじシャフト部分内部でねじ孔と合流する。好適には、前記ネック部分の貫通孔は少なくとも部分的にねじが切られている。
【００２０】
[020]  更に好ましい実施形態において、ブラインド孔は長手方向に延在する軸を有し、前記アセンブリは、前記ブラインド孔の前記軸を中心としてアンカーを回転させるための手段を更に含む。回転させるための手段は、支持構造に前記アンカーを回転させるためのツールを収容するよう構成及び寸法決めされる前記ポスト又はねじ内の前記ブラインド孔の開口上端に隣接し、その内部に形成されるポートを備えるのが好ましい。ポートは、皿ねじスロット又はアレンキーポートとして構成され、寸法決めされる。
【００２１】
[021]  アセンブリは、前記物体として避雷針を含むのが好ましく、前記避雷針は下端を有し、前記物体を締着させるための手段は、前記ブラインド孔内に螺合して受け入れ可能な前記下端に設けられる。望ましくは、拡大カラーが前記避雷針の前記下端の上の前記避雷針に設けられる。有利には、接地ケーブル用のクランプであり、前記クランプはその前記拡大カラーの下の前記避雷針の前記下端に螺合して受け入れ可能である。代替として、接地ケーブル用のクランプは、前記物体として機能して設けられ、前記クランプは前記避雷針の前記下端又は雄ねじポストに受け入れ可能である。
【００２２】
[022]  ある一定の前述及び関連する目的はまた、略平面の第１の表面及び第２の表面、２つの円筒形ポストであって、それぞれが、前記２つのポストが前記アンカーベースプレート貫通孔と軸方向に整列及び位置合わせされ、前記アンカーベースプレートから外側に垂直に延在するように、その前記第１の端部が互いに固定され、前記ポストの少なくとも１つが前記アンカーベースプレート内の前記貫通孔内に延在する状態で、前記アンカーベースプレートに固定される第１の端部を有し、前記ポストはそれぞれ第２の自由端を有する、２つの円筒形ポストを有するアンカーベースプレートであって、前記アンカーベースプレートの前記第２の表面は、前記構造物が前記ポストによって覆われる前記第２の表面の領域を除いて、前記第２の表面に対して略面一にあることを可能にするよう構成される、アンカーベースプレートと、平行ねじを有する円筒形の機械的締結具を備える前記ポストのうちの少なくとも１つを介して前記アンカーベースプレートに物体を締着させるための手段と、を備える、物体を構造物に固定するためのアンカープラットフォームアセンブリにおいても達成される。好ましくは、前記ポストの少なくとも一方又は両方は雄ねじである。望ましくは、少なくとも１つのポストは、直線縁部を有する少なくとも部分的にねじが切られる円筒形スタッドを備える。有利には、前記ポストのうちの少なくとも１つは、その前記自由な第２の端部に開口して、その内部に形成される少なくとも部分的にねじが切られる円筒形ブラインド孔を有する。
【００２３】
[023]  好ましくは、アセンブリは、物体を前記ポストのうちの少なくとも１つに締着させるための手段を更に含む。それは、前記雄ねじポストのうちの１つに受け入れられる貫通孔を有するソーラーパネル用のＬ字形支持体を含むのが望ましい。前記雄ねじポストに受け入れられるナットが、前記Ｌ字形支持体を前記アンカーベースプレートに対してクランプするよう設けられてもよい。有利には、前記ポストの両方は、その前記自由な第２の端部に開口して、その内部に形成される少なくとも部分的にねじが切られる円筒形ブラインド孔を有する。好ましい実施形態において、２つのポストは、異なる又は同じ直径を有する。
【００２４】
[024]  有利には、アンカープレートは、接着剤のその内部への受け入れのためのその少なくとも片側に形成されるチャネルを有する。チャネルは、円形であるのが好ましく、前記アンカーベースプレート内の前記貫通孔の外側に間隔を空けて配置される。
【００２５】
[025]  本発明の他の目的及び特徴は、発明の幾つかの実施形態を開示する添付図面に関連して検討する詳細な説明から明らかとなるであろう。図面は、図示する目的のためだけに用いられ、発明の制限を定義するものではないことは、言うまでもない。
【図面の簡単な説明】
【００２６】
【図１】図１は、本発明を具現化するアンカープラットフォームアセンブリにおいて利用されるアンカーベースプレートの第１の実施形態の上面及び側面斜視図である。
【図２】図２は、図１に示すアンカーベースプレートの底面及び側面斜視図である。
【図３】図３は、ルーフデッキに取り付けられ、それぞれが一対のガラス欄干を支持するＵ字形チャネル又はシューを有する複数の離間した細長いレールをそれに固定する複数の直列に配置される離間したアンカーベースプレートを用いる本発明を具現化するアンカープラットフォームアセンブリの第１の実施形態の断片的に図示する斜視図である。
【図４ａ】図４ａは、図３に示すＵ字形シュー及びルーフデッキに対して位置関係にあるアンカーベースプレートを含み、更に、屋根の水返し材料、締結具、及びそれらとともに用いられる接着剤を示すアンカープラットフォームアセンブリの分解断面図である。
【図４ｂ】図４ｂは、レールの高さを調整するためのアンカーベースプレート及びその中央にある任意のシムプレートの平面図である。
【図４ｃ】図４ｃは、図４ａにおいて、ルーフデッキに完全に取り付けられ、それによってガラスレールがそのＵ字形シューを介して屋根に固定されることを示すアンカープラットフォームアセンブリの断面図である。
【図５ａ】図５ａは、図４ａに匹敵するが、縮小された幅のネック区間を有する雌ねじポストを有するアンカーベースプレートを示すアンカープラットフォームアセンブリの第２の実施形態の分解断面図である。
【図５ｂ】図５ｂは、図４ｃに匹敵するが、アンカーベースプレートの中央孔内に着座する減少した幅のネック区間を有する雌ねじポストの使用を示す完全に取り付けられた状態での発明の第２の実施形態の断面図である。
【図６ａ】図６ａは、図４ａ及び５ａに示すものに匹敵するが、雄ねじポストを有するアンカーベースプレートを示すアンカープラットフォームアセンブリの第３の実施形態の分解断面図である。
【図６ｂ】図６ｂは、図４ｃ及び５ｂのものに匹敵するが、ナット及びワッシャを介してルーフデッキの下からアンカーベースプレートをルーフデッキに固定する雄ねじポストを示す完全に取り付けられた状態のアンカープラットフォームアセンブリの第３の実施形態の断面図である。
【図７ａ】図７ａは、図６ｂと同様ではあるが、ガラス欄干とその支持シューを高くした位置で支持し、ルーフデッキの上に間隔を置いて配置され、アンカーベースプレートの中央孔からオフセットされているアクセサリユニットを示す断面図である。
【図７ｂ】図７ｂは、それぞれアンカーベースプレート及びルーフデッキに対してオフセットされ、高くした配置で屋根付属構造物を支持するためのアンカープラットフォームアセンブリ付属ユニットの斜視図である。
【図８ａ】図８ａは、本発明の第４の実施形態による組み合わせたフラッシュねじアンカー及び締結具アセンブリの側面図である。
【図８ｂ】図８ｂは、図８ａに示すフラッシュねじアンカーアセンブリの一部断面の側面図である。
【図８ｃ】図８ｃは、図８ａ及び８ｂに示すフラッシュねじアンカーフランジアセンブリの平面図である。
【図８ｄ】図８ｄは、図８ｂと同様ではあるが、マイナスドライバーポートの任意の提供を示すフラッシュねじアンカーアセンブリの一部断面の側面図である。
【図８ｅ】図８ｅは、図８ｄに示すフラッシュねじアンカーフランジアセンブリの平面図である。
【図８ｆ】図８ｆは、図８ｂと同様ではあるが、アレンキーポートの任意の提供を示すフラッシュねじアンカーアセンブリの一部断面の側面図である。
【図８ｇ】図８ｇは、図８ｆに示すフラッシュねじアンカーフランジアセンブリの平面図である。
【図８ｈ】図８ｈは、本発明の第５の実施形態による高くした六角ヘッドねじアンカー及び締結具アセンブリの側面図である。
【図８ｉ】図８ｉは、図８ｈに示す六角ヘッドねじアンカーアセンブリの一部断面の側面図である。
【図８ｊ】図８ｊは、図８ｈに示す六角ヘッドねじアンカーアセンブリの一部断面の平面図である。
【図９ａ】図９ａは、図６ａに匹敵するが、避雷針及びケーブルを支持することを示し、それらと共に用いられる屋根水返し材料、締結具、及び接着剤の使用を更に示す本発明の第６の実施形態によるアンカープラットフォームアセンブリの分解断面図である。
【図９ｂ】図９ｂは、図９ａに示し、完全に取り付けられた状態のアンカープラットフォームアセンブリの断面図である。
【図１０ａ】図１０ａは、アンカーベースプレートが、図９ａ及び９ｂに示すようにアンカーベースプレートの下ではなく上に延在するねじポストを有する上下反対の状態で位置決めされ、それらと共に用いられる屋根水返し材料、締結具、及び接着剤を更に示す、避雷針を支持するための本発明の第７の実施形態による分解断面図である。
【図１０ｂ】図１０ｂは、完全に取り付けられた状態の図１０ａに示すアンカープラットフォームアセンブリの断面図である。
【図１１】図１１は、避雷針を支持するための本発明の第８の実施形態を具現化するアンカープラットフォームアセンブリの分解断面図であり、ここでアンカーベースプレートは、避雷針が螺合して受け入れ可能であるねじブラインド孔を有するベースプレートの上に延在する上部ポストと、接地ケーブルがクランプされるねじブラインド孔を有する下部ポストとを有する雌ねじデュアル円筒形ポストに溶接される。
【図１２】図１２は、傾斜屋根の頂上の上に及びそれに沿って取り付けられる避雷針及びクランプされる接地ケーブルを支持するための本発明の第９の実施形態を具現化するアンカープラットフォームアセンブリの分解断面図である。
【図１３】図１３は、図８ａ〜８ｃに示す種類の本発明の第１０の実施形態を具現化し、避雷針及び接地ケーブルを屋根の頂部に支持するフラッシュねじアンカーアセンブリの分解断面図である。
【図１４】図１４は、図１３と同様ではあるが、アンカーのねじブラインド孔内に受け入れ可能なねじボルトを介して屋根の上に及びそれに沿って取り付けられるクランプによって支持されるある長さの接地ケーブルを支持するために用いられる小型フラッシュアンカーを代わりに示す分解断面図である。
【図１５】図１５は、避雷針を屋根の頂部に支持することを示す、本発明の第１１の実施形態を具現化する図８ｈ〜８ｊに示す種類の高くした六角ヘッドねじアンカーアセンブリの分解断面図である。
【図１６】図１６は、図１５と同様ではあるが、アンカーのねじブラインド孔内に受け入れ可能なねじボルトを介して、屋根の頂部に沿ってクランプによって支持されるある長さの接地ケーブルを支持するために用いられる図８ｈ〜８ｊに示す高くした六角ヘッドねじアンカーを代わりに示す分解断面図である。
【図１７ａ】図１７ａは、本発明の第１２の実施形態による、雄ねじ円筒形上部及び雄ねじ円筒形下部ポストを有し、後者が上部ポストよりも小さい直径を有するデュアルポストアンカーベースプレートアセンブリの側面図である。
【図１７ｂ】図１７ｂは、図１７ａに示すデュアルポストアンカーベースプレートアセンブリの平面図である。
【図１７ｃ】図１７ｃは、図１７ａに示すデュアルポストアンカーベースプレートアセンブリの底面図である。
【図１８ａ】図１８ａは、本発明の第１３の実施形態による、アレンキーポートを有する雄ねじ円筒形上部ポストと、雄ねじ円筒形下部ポストとを有し、その後者が上部ポストよりも小さい直径を有するデュアルポストアンカーベースプレートアセンブリの側面図である。
【図１８ｂ】図１８ｂは、図１８ａに示すデュアルポストアンカーベースプレートアセンブリの平面図である。
【図１８ｃ】図１８ｃは、図１８ａに示すデュアルポストアンカーベースプレートアセンブリの底面図である。
【図１９ａ】図１９ａは、本発明の第１４の実施形態による、ねじブラインド孔を有する雄ねじ円筒形上部ポストと、雄ねじ円筒形下部ポストとを有し、その後者が上部ポストよりも小さい直径を有するデュアルポストアンカーベースプレートアセンブリの側面図である。
【図１９ｂ】図１９ｂは、図１９ａに示すデュアルポストアンカーベースプレートアセンブリの平面図である。
【図１９ｃ】図１９ｃは、図１９ａに示すデュアルポストアンカーベースプレートアセンブリの底面図である。
【図２０ａ】図２０ａは、本発明の第１５の実施形態による、ブラインド孔を有する雄ねじ円筒形上部ポストと、ブラインド孔を有する雄ねじ円筒形下部ポストとを有し、その両方が同じ直径を有するデュアルポストアンカーベースプレートアセンブリの側面図である。
【図２０ｂ】図２０ｂは、図２０ａに示すデュアルポストアンカーベースプレートアセンブリの平面図である。
【図２０ｃ】図２０ｃは、図２０ａに示すデュアルポストアンカーベースプレートアセンブリの底面図である。
【図２１ａ】図２１ａは、図１９ａのデュアルポストアンカーベースプレートアセンブリと、屋根にＬ字形ソーラーパネルブラケットを支持するための図８ｄのフラッシュマウントねじアンカーとの両方を利用するアンカーベースプレートアセンブリの一部断面の分解側面図である。
【図２１ｂ】図２１ｂは、完全に取り付けられた状態の図２１ａに示すアンカーベースプレートアセンブリの側面図である。
【図２２ａ】図２２ａは、図２０ａのデュアルポストアンカーベースプレートアセンブリを利用して、避雷針を屋根の上のその雄ねじ円筒形上部ポストに、且つ、接地ケーブルを屋根の下の雄ねじ円筒形下部ポストに固定するデュアルポストアンカーベースプレートアセンブリの分解側面図であり、ここで両ポストは雌ねじ内側ブラインド孔を有する。
【図２２ｂ】図２２ｂは、完全に取り付けられた状態の図２２ａに示すアンカーベースプレートアセンブリの側面図である。
【図２３】図２３は、避雷針及び接地ケーブルを支持するための本発明の第１６の実施形態を採用するアンカープラットフォームアセンブリの分解断面図であり、ここでアンカーベースプレートは、避雷針が螺合して受け入れ可能であるベースプレートの上に延在する上部ポストと、接地ケーブルがクランプされるベースプレートの下に延在する下部ポストとを有する雄ねじデュアル円筒形ポストに溶接される。
【発明を実施するための形態】
【００２７】
[075]  ここで、図面、特にその図１〜図７ｂに詳細に目を向けると、その中で図示されているのは、物体を支持構造に固定するための、特に多くの異なる使用分野に普遍的に適応可能な多種多様なアンカー用途を目的とする出願人の前述の米国特許出願第１５／８５２，７３３号及び出願第ＰＣＴ／ＵＳ２０１９／０１８５９２号に更に具体的に説明し、図示するような、本発明を具現化する新規のアンカープラットフォームアセンブリである。
【００２８】
[076]  その図１〜図４ｃは、一般に参照番号１０で設計され、屋根付属構造物を屋根並びにテラス、バルコニー、階段等のような他の隆起、平坦、及び／又は傾斜した構造物に固定するために特に設計された新規のアンカープラットフォームアセンブリを備える本発明の第１の実施形態を示している。アンカープラットフォームアセンブリの主要コンポーネントは、一般に参照番号１１で示すアンカーベースプレートであり、これは、ステンレス鋼でできているのが好ましく（しかし、アルミニウム、青銅等のような他の金属でできていてもよい）、正方形又は矩形であるのが好ましく、頂面１２及び底面１３を有している。アンカーベースプレート１１は、雌ねじが切られた中央貫通孔１４と、中央孔１４から径方向外側に位置決めされ、概してベースプレート１１の周辺に隣接する６つの離間された周辺貫通孔１５とを有する。この実施形態において、アンカーベースプレート１１はまた、頂部開口端１８及び閉鎖底部１９（図２）を有する軸方向に延在し、雌ねじが切られた孔１７（図４ｂを参照）を有する好ましくは円筒形のロッド即ちポスト１６も含み、これは、その孔１７の頂部開口端１８が中央貫通孔１４の底部開口端と当接し、位置合わせされるように、アンカーベースプレート１１に溶接を介して好ましくは固定される（図４ｂを参照）。
【００２９】
[077]  図３に示すように、アンカープラットフォームアセンブリ１０のアンカーベースプレート１１は、通常、機械的締着要素２０を介して、好ましくは釘、ボルト、又はラグねじの形態で、一般に２１で示すルーフデッキ等の屋根構造物に取り付けられ、その円筒形のポスト１６がルーフデッキ２１を通って延在し、その閉鎖端部１９がルーフデッキの下方に突出している。雌ねじが切られ、位置合わせされる孔１４及び１７は、ルーフデッキ２１に取り付けられる物体のためのアンカーポイントとして機能する。この場合、物体は、細長いＵ字形の金属チャネル又はシュー２４内部に固定される下端を有するガラスパネル２２を有する種類のガラス欄干である。図３は、２つのガラスパネル２２及び２つのシュー２４が少なくとも部分的に取り付けられる、３つの直列に配置され、離間されたアンカーベースプレート１１を具体的に示している。使用中、かかるガラス欄干は長さ数百フィートであってもよい。正しく理解できるように、各ガラス欄干２２の長さに応じて、図３に示すように、ガラスレール２２毎に２つ以上のアンカーベースプレート１１が必要とされてもよい。
【００３０】
[078]  図４ａ及び図４ｃにおいて最も良好に見られるように、細長いＵ字形シュー２４は、複数の離間された貫通孔２５（そのうちの１つのみを示す）を有するベース壁部２３を有している。以下でより詳細に検討するように、ねじボルト２６、及びワッシャ２７等の、平行ねじを有する円筒形の機械的締結具が用いられ、そのボルト２６は、Ｕ字形シュー２４の貫通孔２５を介して受け入れられ、アンカーベースプレート１１の雌ねじ中央孔１４及び円筒形ポスト即ちロッド１６（図４ｃ）の雌ねじブラインド孔１７内部に受け入れられて、これらをルーフデッキ２１に固定する。閉鎖底部１９を有する円筒形ポスト１６は、２つの目的：（１）屋根に取り付けられる物体のための比較的頑丈で剛性の固定支持ポイントを提供し、（２）ブラインド孔１７及び閉鎖される円筒形ロッド１６の下端１９の結果として、中央孔１４を介してルーフデッキ２１内及びその下に水が浸入することを防ぐ目的を果たす。
【００３１】
[079]  図４ｂは、その中央貫通孔２９が円筒形ポスト１６の内側ブラインド孔１７の真上にあり、それと位置合わせされるようにアンカーベースプレート１１の上に取り付けられる、中央貫通孔２９を有する正方形シムプレート２８の使用を示している。シムプレート２８は、シュー２４の高さを調整して、隣接するシュー２４と、ルーフデッキ２１等の高さの変動によりそれらが支持するガラス欄干（単数又は複数）２２との適切な位置合わせを確実にするために用いられる。追加のシムプレート２８は、無論、必要に応じて、適切な高さの位置合わせを達成するために用いることができる。
【００３２】
[080]  図４ａ及び図４ｃに示すように、Ｕ字形チャネル又はシュー２４の中央貫通孔２５は、ボルト２６のボルト頭部が、ガラス欄干２２の底縁部に当接し、場合によっては亀裂又は損傷を与えないように、Ｕ字形シュー２４の下部ベース壁部２３の頂面３０の下に配設されるように、ボルト２６のボルト頭部及びワッシャ２７をステップ上に受け入れ、支持するよう寸法決めされ、構成されるステップを含む。
【００３３】
[081]  図４ａ及び図４ｃはそれぞれ、ガラス欄干をルーフデッキ又はテラス等に取り付けるための好ましい水返し材料、定着具、及び接着剤等を含む、アンカープラットフォームアセンブリ１０の分解断面図及び完全に取り付けられた断面図を示している。図４ａに示すように、アンカーベースプレート１１は、業界において標準又は従来のように、木材、金属、又は複合構造であってもよいルーフデッキ２１の上に位置決めされる。アンカーベースプレート１１の円筒形ポスト１６は、ルーフデッキ２１内の貫通孔３１と、好ましくはネオプレンでできており、好ましくはアンカーベースプレート１１とルーフデッキ２１との間に介在される従来のゴム製屋根膜３２の貫通孔３３とを通って挿入されることを意図している。同様に、これも好ましくはネオプレンでできている従来のゴム製屋根膜３４は、任意のシムプレート２８とアンカーベースプレート１１の頂面１２との間に位置決めされるのが好ましく、それもまた、ボルト２６が膜３４を通過することを可能にするよう中央孔３６を備えている。加えて、シーラント、セメント、コーキング、又は接着剤層３８が示され、これらは通常、アンカーベースプレート１１の底面１３に塗布されてそれを屋根膜３２に接着結合及び封止している。
【００３４】
[082]  図４ｃにも示すように、接着剤、コーキング、セメント、又はグルー４０（及び／又は任意選択的にクリップ）もまた、Ｕ字形金属チャネル２４内部に受け入れられるガラス欄干２２の下端を取り囲むように、Ｕ字形チャネル２４の内面に塗布される。そこにも示すように、アンカーベースプレート膜３４は、その端部が屋根膜３２に対して封止された状態でアンカーベースプレート１１全体にわたって延在し、それによってねじ孔及びアンカーベースプレート１１の残りの部分を封止している。正しく理解できるように、これらの水返し材料及び接着剤は、アセンブリを防水し、屋根を雨漏りから保護する役割を果たす。
【００３５】
[083]  前述のように、これは、屋根への物体の取り付け点、この場合、ボルト２６及びボルト２６が受け入れられるブラインドねじ孔１７を介してアンカーベースプレート円筒形ポスト１６へのガラス欄干シュー２４の取り付け点を指す点において特に重要である。孔１７はブラインド孔又は穴であり、円筒形ポスト１６の底部１９端部が閉じているので、ガラスパネル２２とＵ字形チャネル２４との間に浸入し、円筒形ポスト１６の孔１７に入ると想定できる任意の水の可能性のある経路は、ルーフデッキ２１に浸入することを完全に遮断される。
【００３６】
[084]  図５ａ及び図５ｂは、アンカーベースプレートアセンブリ１０’の第２の実施形態を示し、同様の方法で、アンカープラットフォームアセンブリ１０’のこの第２の実施形態の分解断面図及び完全に取り付けられた断面図をそれぞれ示している。
【００３７】
[085]  この第２の実施形態に示す構成要素は、円筒形ポスト１６’が狭いネック部分３５を備え、ベースプレート１１’がねじのない中央孔１４’を備えていることを除いて、図４ａ及び４ｃに示すものと同じであるが、両方ともそれ以外の点では、前の実施形態に示したベースプレート１１’及び円筒形ポスト１６と同一である。図４ａ及び４ｃにおいて、円筒形ポスト１６の上端１８は、通常、アンカーベースプレート１１’の底面１３に溶接される。しかし、図５ａ及び５ｂにおいて、狭いネック区間３５は、アンカーベースプレート１１’のねじのない中央孔１４’内部に受け入れられるよう意図されており、この構造の結果として、より堅固でより強固な結合が作られる。より強固な結合は、それぞれの中央孔１４’及び雌ねじ孔１７’が、中央孔１４に受け入れられるポスト１６’の縮小したネック区間３５によって適切な軸方向整列に保持されながら、アンカープレート１１’及びポスト１６’が共に溶接される場合、狭いネック部分がねじのない中央孔１４内に延在するという事実に起因する。
【００３８】
[086]  図６ａ及び図６ｂは、アンカーベースプレートアセンブリ１０’’の第３の実施形態を示し、同様の方法で、この第３のアンカープラットフォームアセンブリ実施形態の分解断面図及び完全に取り付けられた断面図をそれぞれ示している。この第３の実施形態に示す構成要素は、円筒形ポスト１６’’の下部３７が雄ねじであることを除いて図５ａ及び５ｂに示すものと同じであるが、それ以外の点では、円筒形ポスト１６’と同一である。この実施形態において、ナット３９及びワッシャ４１は、図６ｂに示す完全に組み立てられた状態で、ナット３９及びワッシャ４１が、金属製ルーフデッキ２１’の下面に対して締着されて、より強力な取り付け点を提供する一方で、同時に、ブラインド孔１７’及び円筒形ポスト１６’’の閉端１９を介する取り付け点における屋根の雨漏りを防止するように、円筒形ポスト１６’’の雄ねじ面３７にねじ込まれる。
【００３９】
[087]  図７ａ及び図７ｂは、本明細書中に示す様々なアンカープレートアセンブリのための新規の付属品支持スタンド４２を示しており、これにより、ユーザがアンカーベースプレートの上に立てて間隔を空けた状態で物体を支持することを可能にしている。好ましくは金属製の方形又は矩形の平面ベース４４と、溶接によって一端が平面ベース４４に接合される４つの側壁４３からなる直立した好ましくは金属製の方形管状本体部材とを備える付属品支持スタンド４２。水抜き孔４５は、そこから水を排出することができるよう１つの側壁４３のベースに設けられている。ベース４４は、円筒形ポスト１６’’の雌ねじ孔１７’と整列可能な中央孔４９（図７ｂ）を有し、ボルト２６のねじステムは、雌ねじ孔１７’内部に螺合して受け入れられて、支持スタンド４２をアンカーベースプレート１１’’に固定する。水平に整列した孔４６の少なくとも１つのセットは、直立管状本体の対向する側壁４３に形成され、それを通って、ねじボルト４７が取り付けられて、図７ｂに最も良好に示すように、支持スタンド４２の側壁４３の１つに物体を固定している。この場合、Ｕ字形チャネル２４’は、図１〜図６の実施形態に示すように、そのベース壁２３’ではなく、その側壁の１つに凹んだ貫通孔２５’を備えている。ボルト４７は、そのボルトヘッドがチャネル貫通孔２５’のステップに対して保持されることにより凹んだ貫通孔２５’内に、且つ、追加のナット４８及びワッシャ４８によってその反対側の端部（即ち、側壁孔４６を通って延在するそのねじシャフトの自由端）において、Ｕ字形チャネル２４’をアンカーベースプレート１１’’及び屋根部材２１’に対して立てて高い位置に固定し、アンカーベースプレート１１’’の中央ブラインド孔に対してオフセットするよう保持される。
【００４０】
[088]  ここで特に目を向けると、図８ａ〜図８ｊは、出願人の先に出願した部分継続ＰＣＴ出願第ＰＣＴ／ＵＳ２０１９／０１８５９２号に示し、説明したような、本発明による新規のねじアンカー及び締結具アセンブリ（以下、概して「ねじアンカー」又は「ねじアンカーアセンブリ」と称する）の幾つかの実施形態を示している。図８ａ〜８ｃに示すように、アンカーアセンブリ１１０は、フラッシュねじアンカーであり、無数の用途のために建築業において特に有用である。フラッシュねじアンカーアセンブリ１１０は、上面１１２、対向する下面１１３、及びそれを通って延在する任意選択的の雌ねじ中央開口１１４を有する好ましくは平面のベースプレート、フランジ、又はワッシャ１１１を備える。加えて、ねじアンカーアセンブリ１１０はまた、アンカーベースプレート１１１に固定され、ベースプレート１１１の下面１１３から下向きに延在するねじ又はラグねじ１１６の形態であるのが好ましい雄ねじポストも含んでいる。図８ｂに最良に示すように、ねじ１１６の上部シャフトは、ベースプレート１１１の中央開口部１１４と一体化し、軸方向に整列する軸方向に延在する雌ねじ中央孔１１７を含む。孔１１７は、ねじ１１６の雄ねじ上部シャフトの外径よりも小さい直径を有する。
【００４１】
[089]  ねじ１１６内の孔１１７は、フランジ又はベースプレート１１１内の孔１１４によって画成される開口上端と、ねじ１１６のシャフト内の閉鎖下端１１９とを有するブラインド孔である。ねじ１１６及びベースプレート１１１が一体的に接合されて、一体に組み合わされたアンカー及び締結具アセンブリ又はコンポーネントを形成することも好ましい。ねじ１１６は、溶接、圧入接続を介して、又はねじ１１６及びベースプレート１１１が強固及び堅固に共に締着されて強力で堅牢なアンカーを提供することを保証する任意の他の締結手段によって、ベースプレート１１１に固定することができる。
【００４２】
[090]  本明細書中に説明するこの実施形態及び他の実施形態のための本発明のねじアンカーの設置及び使用に関連して以下に示し、検討するように、図４ａ、図４ｃ、図５ａ、図５ｂ、図６ａ、図６ｂ、及び図７ａに示すようなワッシャ２７と共に拡大ヘッド及びねじシャフトを有する通常はボルト２６の形態の締結具は、物体又はその一部若しくはそれに関連する付属構造物（後者に関しては、例えば、屋根欄干用のガラスパネル２２を支持するために用いられるＵ字形シュー２４を参照）が、アンカーベースプレート１１１の上面１１２に対して堅固に固着させて保持されるように、物体をアンカーに保持し、堅固に固定するよう孔１１７に螺合して受け入れ可能である。これは、ボルト２６のねじシャフトが、ねじアンカー１１０のブラインド孔１１７にねじ込まれ、物体をねじアンカーに堅固に固定するよう締着される前に螺送する貫通孔２５をその物体、部品、又は付属構造物内に設けることによって達成されるのが好ましい。
【００４３】
[091]  図８ｄ及び図８ｅは、図８ａ〜図８ｃに示すフラッシュアンカー実施形態の変形例を示し、ここで凹部の付いた皿ねじスロット又はポート１４３が、その中央孔１１４の両側のベースプレート１１１内に形成され、その中央孔１１７の両側においてラグねじフラッシュアンカー１１０の上部の外側が平滑な拡大ヘッド部分１４４内で下に延在して、マイナスドライバー又は他のツール（図示せず）を前記スロット１４３に挿入して、ねじ１１６の雄ねじシャフトの回転を容易にし、アンカー１１０を意図する支持構造に螺入するか、又は、例えば、建物の支持構造内で再位置決めする必要がある場合、それをそこから螺送して取り外すことのどちらか一方を可能にする。
【００４４】
[092]  図８ｆ及び図８ｇは、図８ａ〜図８ｃに示すねじアンカーアセンブリの別の変形例を示し、ここでマイナスドライバーポート１４３を用いる代わりに、アレンキーポート１４５が設けられている。より詳細には、皿頭空間１４６は、アンカーベースプレート１１１内のブラインド孔１１７の上端の上、及び、ワッシャ１１１の上面１１２から、ベースプレート１１１及びヘッド部分１４４に設けられ、それらによって共同で画成される皿頭空間１４６に下向きに延在するラグねじアンカー１１０の上部の外側が平滑な拡大ヘッド部分１４４内に設けられる。
【００４５】
[093]  ヘッド空間１４６は、アレンキーポートとして機能する好ましくは六角形の中央孔１４５を画成するよう構成される内壁を有する。アレンキーポート１４５は、以下でより詳細に説明及び図示するように、フラッシュねじアンカー１１０を支持構造に容易且つ螺入し、それから取り外すことができるアレンキー（図示せず）を受け入れるよう設計されている。
【００４６】
[094]  本発明のねじアンカーアセンブリの第５の実施形態において、図８ｈ〜図８ｊに示すように、六角形ヘッドラグねじアンカー２１０が、ベースプレート２１１の上面２１２の上に固定された六角形の六角ナット２５０を有して設けられている。六角形の六角ナット２５０は、ドライバースロット、アレンキーポート、等と同じ目的を果たし、それにより、六角ヘッドを把持して支持体へのその螺合又はそれからの取り外しを容易にするよう構成されたソケットレンチ（図示せず）等の工具を用いることができる。外側六角ナット２５０は、好ましくは、溶接等によってベースプレート２１１に一体的に接合されて、一体型コンポーネントを形成する。図８ｉに最良に示すように、外側六角ナット２５０は、ラグねじ２１６の中央孔２１７及びベースプレート２１１の孔２１４と軸方向に整列し、位置合わせしている雌ねじ中央貫通孔２５２を含む。アンカー２１０は、六角形のナット２５０を有するように図示及び説明されているが、他の多角形又は寸法形状が、本発明により及び以下で更に開示するように可能であり、意図される。
【００４７】
[095]  ここで、図９ａ、図９ｂ、図１０ａ、図１０ｂ、図１１、及び図１２に目を向けると、これらの図は、従来の避雷針アセンブリ８０を屋根又は他の構造物に取り付けるためにアンカープラットフォームアセンブリの使用を示している。従来の避雷針は、通常、建物の屋根に取り付けられる先の尖った金属棒を備えている。ロッドは直径１インチであってもよい。それは、直径１インチ程度でもある銅又はアルミニウム線又はケーブル９０に接続する。ケーブル９０は通常、近くの地面に埋設される導電性グリッド又はプレートに接続される（図示せず）。落雷において、避雷針８０は、ケーブル９０を介して地面への低抵抗経路を提供し、これは膨大な電流を構造物から離れて、安全に地面に伝導するために用いることができる。
【００４８】
[096]  より詳細には、図９ａは、概して８０で示す避雷針を屋根又は他の構造物２１’に支持及び取り付けるために用いられる発明のアンカープラットフォームアセンブリ１０’’の第６の実施形態の分解断面図である。図示するように、ベースプレートアセンブリ１１’は、概して、図６ａ及び図６ｂに示す第３の実施形態に示すものと同じである。ポスト１６’’は、ベースプレート１１’の下面に物理的に取り付けられる（例えば、溶接される）下部雄ねじ部分３７を有している。ポスト１６’’内のブラインド孔１７’にもねじが切られている。避雷針８０は、固定カラー８４を介して下部のねじ円筒形ロッド８３に接合される先の尖った細長い円筒形の上部本体８２を有するのが好ましく、このロッド８３は、ポスト１６’’のブラインド孔１７’に螺合して受け入れ可能である。屋根の下には、概してＣ字形の両腕クランプ８９が、接地ケーブル９０を堅固に保持するために用いられ、その腕部８８のそれぞれにおいて取付孔８７を備え、それによって、ポスト１６’’のねじ部分３７に取り付けられている。ワッシャ４１及びナット３９は、ポスト１６’’の下側ねじ端部３７上に受け入れ可能であり、図９ｂにおいて最良に見られるように、ポスト１６’’上のナット３９の締着により、ワッシャ４１及びナット３９が、Ｃ字形クランプ８９に対して押圧し、それを堅固に固定し、ケーブル９０’がそれによって屋根２１の下側に保持される。接地ケーブル９０は、屋根の下側に沿って延在し、最終的に地面に導かれ、そこで通常、地面の接地グリッド又はプレート（図示せず）に取り付けられる。実際の使用において、接地ケーブル９０は、接地ケーブル９０を避雷針８０及び地面に取り付けるための様々な従来の接地及びクランプアセンブリの助けにより、避雷針アセンブリに取り付けられ、これらは当業者によって周知である。本明細書中で説明及び図示するＣ字形クランプは、これら市販のクランプの単なる簡略化した表現である。
【００４９】
[097]  図９ａに最良に示すように、円筒形ポスト１１６は、狭いネック部分３５を備え、ベースプレート１１’は、ねじのない中央孔１４を備えて、それらの間のより堅牢で強固な結合を実現している。より強固な結合は、それぞれの中央孔１４’及びポスト１６’’の雌ねじ孔１７’が縮小したネック区間３５によって適切に整列されて保持されながら、前記アンカープレート１１’及びポスト１６’’が共に溶接される場合、狭いネック部分３５が、強力で剛性のある接合だけでなく、ベースプレート１１’及びポスト１６’’の正確な９０°の整列も与えるダボのように、ねじのない中央孔１４’に延在するという事実による。無論、図１〜４ｃに示すようなもの等の、特定の用途のためのアンカーアセンブリの強度の性質及び要求に応じて、任意として、縮小したネック区間のないアンカープレート１１’及びポスト１６’’を用いることも可能である。
【００５０】
[098]  図１０ａは、本発明のアンカープラットフォームアセンブリ１０’’’の第７の実施形態の分解断面図である。アンカープラットフォームアセンブリ１０’’’のアンカーベースプレート１１’’’は、図９ａ及び９ｂに示すアンカーベースプレート１６’’の上下反対の型にある。ポスト１６’’’は、中央に配設されるねじブラインド孔１７’’’及び狭いネック部分３５’’’を有し、その後者は、先の実施形態に示されたようなその底面１３’’の代わりに、ベースプレート１６’’’の上面１２’’’に物理的に取り付けられている（例えば、溶接されている）。この実施形態において、接地ケーブル９０は、ボルト２６の雄ねじシャフト８６に受け入れられるその一対の腕部８８内の開口部８７を介して、二本脚のＣ字形クランプ８９によって再度保持される。
【００５１】
[099]  図１０ｂは、完全に取り付けられた状態であるが、図９ｂのものに匹敵する上下反対の方法でのアンカープラットフォームアセンブリ１０’’’の第７の実施形態の断面図である。ボルト２６のねじシャフト８６は、ルーフデッキ２１’の下からルーフデッキ２１’内の開口部と、膜３２及び３４内の開口部とを通って挿入され、ポスト１６’’の雌ねじブラインド孔１７’’’に螺合して受け入れられる。ボルト２６の拡大ヘッド及びワッシャ２７は、Ｃ字形クランプ８９を、ひいては、接地ケーブル９０を屋根の底面に堅牢に固定する役割を果たす。
【００５２】
[100]  避雷針８０の尖ったシャフト８２はナット８５に接続され、それによって避雷針８２は屋根２１の上でアンカーベースプレートアセンブリ１０’’’のポスト１６’’’に螺合して固定される。結果として、避雷針８０は、ナット８５からポスト１６’’’、ボルト２６、及びクランプ８９を介して接地ケーブル９０に、ひいては、地面内の導電性グリッド又はプレート（図示せず）に電気的に結合される。
【００５３】
[101]  図１１は、アンカーベースプレート３１１の上に溶接９６によってベースプレートの上面に接合され、ポスト３１８の自由上端に開口する雌ねじブラインド孔３１７を有する上部ポスト３１８から構成されるデュアルポスト３１６も有する本発明のアンカープラットフォームアセンブリ３１０の第８の実施形態の分解断面図である。デュアルポスト３１６はまた、底壁３１３から延在し、屋根２１の下に下向きに突出する下部ポスト３１９も有する。それはまた、その下側自由端に開口する雌ねじブラインド孔３２０も有する。避雷針８０は、上部の尖った区間８２と、上部ポスト３１８のねじブラインド孔３１７に螺合して受け入れられる雄ねじ下部区間８３とを有する。一方で、Ｃ字形クランプ８９は、それを、ワッシャ４１と、そのねじシャフト８６が下部ポスト３１９のねじ内部孔３２０内に受け入れ可能であるナット２６とを介してそのように取り付けられる場合に、その下面に当接する屋根２１の下に保持することができるように、下部ねじポスト３１９上に受け入れ可能である。
【００５４】
[102]  図１２は、避雷針が、３層の屋根棟プレート４０３によって支持される、突き合わせられ、結合される屋根板４０１、４０２からなる傾斜屋根棟に取り付けられる必要がある用途のための本発明の第９の実施形態を示す。金属アンカーアセンブリ４１０は、中央孔４１４が形成され、そこから屋根棟プレート４０３の孔４０４内部に受け入れられる円筒形ポスト４１６にかかる中央の水平に配設される中央平面区間４１２を有する曲がったベースプレート４１１を備えている。ベースプレート４１１は、中央平面区間４１２の両側から延在する２つの曲がった翼区間４１８を有し、これらは、屋根板４０１、４０２に対して平坦に横たわるよう角度が付けられている。
【００５５】
[103]  前と同じように、ベースプレート４１１は、曲がった翼区間４１７内の孔４１５を通して受け入れられる固定ねじ４２０を介して屋根板４０１、４０２に取り付けられる。他の実施形態で用いられるような水返し及び接着材料（図示せず）も、以前と同様の方法で用いられるであろう。
【００５６】
[104]  円筒形ポスト４１６は、先の実施形態にも示したように、任意選択的に平滑であるか又は雄ねじを切ることができ、更に、その上部が尖った区間８２が屋根の最高点から好ましくは上向きに突出するように、避雷針８０の８３のねじ下部区間が螺合して受け入れ可能である雌ねじ中央孔４１７を有する。このような用途において、接地ケーブル９０は通常、屋根棟に沿って通り、クランプ８９等も介して、複数の離間した避雷針８２（図示せず）に接続する。
【００５７】
[105]  図１３は、避雷針８０を膜３２によって覆われている屋根板２１’に固定するための発明のアンカーアセンブリの第１０の実施形態を示している。この実施形態は、図８ａ〜８ｅに示した種類のいずれかの小型ねじアンカーを用いている。この実施例において、上面１１２、対向する下面１１３、及びそれを通って延在する中央開口１１４を有するベースプレート又はワッシャ１１１を有する図８ｄに示す種類のフラッシュねじアンカー１１０が用いられる。
【００５８】
[106]  図１３に更に示すように、ベースプレート１１１の下面１１３は、コーキング等のシーラント３８を介して屋根膜２７に接着され、屋根膜２７は、同様に、典型的な合板屋根板２１’に接着して取り付けられる。避雷針８０のねじ下端８３は、ケーブル９０を保持するＣ字形クランプ８９がカラー８４とベースプレート１１１の上面１１２との間で堅固に留められるように、それを通して挿入され、ねじブラインド孔１１７内に螺合して受け入れられる。
【００５９】
[107]  図１４は、屋根２１’に取り付けられる小型フラッシュアンカー１１０を示しているが、代わりに、接地ケーブルクリップ８９を介して屋根２１’に沿ってある長さの接地ケーブル９０を支持するために用いられている。アンカー１１０は、クリップ腕部８８の開口部８７を通して受け入れ可能であり、ボルト２６がアンカー１１６のねじ孔１１７に完全に受け入れられる場合に、ボルトヘッド２６とアンカー１１０のベースプレート１１１の上面１１２との間にクリップ８９をクランプするようねじ孔１１７に螺合して受け入れ可能であるねじボルト２６を介してＣ字形８９ケーブルをクランプする。正しく理解できるように、複数の離間した小型フラッシュアンカー１１０は、複数のケーブルクリップ８９を利用して、屋根若しくは壁又は他の構造物の上に及びそれに沿ってある長さのケーブル９０を取り付けてもよい。
【００６０】
[108]  図１５は、図８ｈ〜図８ｊの六角ナットねじアンカーアセンブリ２１０を利用する、本発明のアンカーアセンブリの第１１の実施形態を示しており、外側六角ナット２５０がベースプレート２１１の上面２１２に形成されている。外側六角ナット２５０は、一体型コンポーネントとして、ベースプレート２１１と一体的に形成されるのが好ましい。しかし、六角ナット２５０は、ベースプレート２１１に溶接するか、別の方法で取り付けることができる。外側六角ナット２５０は、図８ｉにおいて最良に見て取れるように、シャフト２１６の中央孔２１７及びベースプレート２１１の開口部２１４と軸方向に整列している雌ねじ中央貫通孔２５２を含む。僅かに高くしたアンカー２１０が六角形のナット２５０を有するように図示及び説明されているが、他の形状は本発明により可能であり、意図される。
【００６１】
[109]  軸方向に整列した孔８７、２１４、及び２１７は、避雷針８０のねじ下端８３を漸次受け入れて避雷針８０をアンカー２１０に、従って、膜２７で覆われる屋根２１に固定するよう構成され、寸法が決められている。接着剤層３８もまた、ベースプレート２１０の下側面２１３に設けられるのが好ましい。避雷針８０はまた、完全に取り付けられる場合に接地ケーブル９０を六角ヘッド２５０の上部に対して保持するＣ字形クランプ８９を圧接し、固定するのに役立つ固定カラー８４も備えている。
【００６２】
[110]  図１６は、屋根２１’に取り付けられる僅かに高くしたアンカー２１０を示しているが、代わりに、接地ケーブルＣ字形クランプ８９を介して屋根に沿ってある長さの接地ケーブル９０を支持するために用いられている。アンカー２１０は、そのねじシャフト８６が、アンカー２１０のねじ孔２１７に完全に受け入れられる場合に、ボルト２６のヘッドとベースプレート２１１の上面との間にクリップ８９をクランプするよう、整列した孔８７、２１４、及び２１７を通って受け入れ可能であるねじボルト２６を介してケーブル９０をクランプする。ここでも、複数の離間した僅かに高くしたアンカー１１０を、屋根、壁、又は地面につながる他の構造物上及びそれらに沿って複数のケーブルクリップ８９を介してある長さの接地ケーブル９０を固定するために用いることができる。
【００６３】
[111]  ここで、図１７ａ〜図１７ｃから図２０ａ〜図２０ｃに目を向けると、そこに示すのは、本発明を具現化する様々な種類のデュアルポストアンカーの更に幾つかの実施例である（図２４も参照）。図１７ａ〜図１７ｃにおいて、アンカーアセンブリ５１０は、それぞれがその中央貫通孔（図示せず）を介してベースプレート５１１に堅固に固定されるが、前の実施形態に示したような雄ねじ円筒形上部ポスト５１８及び雄ねじ円筒形下部ポスト５１９からなるデュアルポスト５１６を有している。
【００６４】
[112]  加えて、円板状ベースプレート５１６の底面５１３は、任意選択的に、ベースプレート５１１の底面５１３とアンカー５１０が支持された支持屋根又は膜との間に通常塗布される接着剤又はコーキング（図示せず）を受け入れるための円形チャネル又は溝５２１を備えている。この実施形態において、上部ポスト５１８は、下部ポスト５１９よりも大きな直径を有する。
【００６５】
[113]  図１８〜図２０の他の実施形態は、図１８ａ〜図１８ｃに示すものと同じものの多くを有し、これら４つの実施形態のそれぞれにおける構成要素は、それらが図示の４つの実施形態を区別するよう、それぞれ番号５、６、７、８が前に付く以外は、該当する場合に同じ参照番号を備えている。それらはまた、図１７ａ〜図１７ｃに関して上に記載し、説明したものと同じ一般的な構造及び配置を有し、従って、これらの異なるデュアルポストアンカー間の違いのみを以下に説明する。
【００６６】
[114]  より詳細には、図１８ａ〜図１８ｃは、図１７ａ〜図１７ｃに示したデュアルポストアンカーの変形例を示しているが、挿入又は取り外された場合にアンカーの回転を容易にするよう、上部ポート６１８のブラインド孔６１８に設けられたアレンキーポート６４５の追加的な特徴を有している。図１９ａ〜図１９ｃは、上部ポスト７１８が、アレンキーポート７４５の下に、中央に配設され、軸方向に延在するブラインド孔７１７を更に備えているという点で、図１８ａ〜図１８ｃに示すデュアルポストアンカーの更なる型を示している。図２０ａ〜図２０ｃは、図１９ａ〜図１９ｃに示すデュアルポストアンカーの別の適用を示しており、ここで底部ポスト８１９はまた、その下端に開口する中央に配設され、軸方向に延在するブラインド孔８２０も備えている。加えて、この実施形態において、円筒形の上部及び下部ポスト８１７、８１９は、それぞれ、同じ直径を有している。また、図１７ａ〜図１７ｃから図２０ａ〜図２０ｃのデュアルポスト実施形態は、屋根の下から下部ポストをボルト固定できない状況のために、平滑なポストを有していてもよいことにも留意されたい。
【００６７】
[115]  ここで、図２１ａ及び図２１ｂに目を向けると、そこに示すのは、ゴム膜３２によって覆われる屋根ベース２１’に取り付ける上部屋根板６４０及び下部屋根板６５０を有する屋根板で覆われた屋根にＬ字形ソーラーブラケット６３０を取り付けるために、図８ｄのフラッシュアンカー及び図１９ａのデュアルポストアンカーアセンブリを組み合わせて用いる方法の一実施例である。図２１ａの分解図において最良に見られるように、デュアルポストアンカーフランジ６１０は上部屋根板６４０の上に配設され、フラッシュねじアンカー１１０は上部屋根板６４０の下に配設される。コーキングリング２８は、順に、その下部ポスト６１９が、図２１ｂにおいて最良に見られるように、フラッシュアンカー１１０のねじブラインド孔１１７にねじ込まれ、挿入される場合、アンカーベースプレート６１１の下面を上部屋根板６４０により良好に接着するように、アンカーベースプレート６１１の下面６１３とフラッシュアンカー１１０の上面１１２との間に配設される。フラッシュねじアンカー１１０は、順に、屋根膜３２及び屋根ベース２１’にねじ込まれ、完全に螺入されると、その下部アンカーベースプレート表面６１２は、コーキングリング２８が間に挟持された状態で、下部屋根板６５０の上面に当接する。前述したように、アンカーベースプレート６１１の下側６１３上のコーキング溝６２１は、その溝６２１内にコーキングをより良好に保持して、底部屋根板６５０へのより良好で防水性のある結合を確実にするのに役立つ。
【００６８】
[116]  図２１ｂにも示すように、Ｌ字形ソーラーブラケット支持体６３０は、その下側脚部を通って延在する貫通孔６２５を有し、これによりブラケット６３０がデュアルポストアンカーベースプレート６１０の上部円筒形ねじポスト６１８上に受け入れられることを可能にしている。それは、順に、アンカーベースプレート６１０の上面６１１に当接するよう位置決めされ、Ｌ字形ブラケット６３０の下側脚部の上側に位置決めされるナット２６及びワッシャ２７によってそれに対して保持される。この実施形態は、そのベースプレート６１１が実質的に上部及び下部の屋根板６４０、６５０の間にロックされ、これが、その下部ポスト６１９がフラッシュアンカー１１０の雌ねじ孔１１７内に受け入れられ、ワッシャ２７及びナット２６がＬ字形支持体６３０の上の上部ポスト６１８に受け入れられてそれらをフラッシュアンカー１１０に堅固に固定しながら、デュアルポストアンカーアセンブリ６１０によって容易にそれに固定することができるＬ字形ソーラーブラケット６３０を支持するための特に強固で剛性のあるアンカーを提供するように、フラッシュねじアンカー１１０が屋根に取り付けられるので、特に有利である。
【００６９】
[117]  この実施形態は、特にそれらが壊れやすいセラミック又は粘土瓦でできている可能性がある場合に、上部屋根瓦６４０への損傷を防止するのに特に有用である。より詳細には、上部屋根瓦６４０は、それが上部屋根瓦６４０にぴったりと当接するまでであるが、粘土瓦に亀裂又は損傷を与える可能性のある十分な又は過度の力がなく、下部ポスト６１９をねじアンカー１１０のねじブラインド孔にねじ込むことによって、アンカーベースプレート１１１の上面１１２とデュアルポストアンカーアセンブリ６１０のアンカーベースプレート６１０の下面６１３との間に挟持される。その後、ソーラーパネル又は他の重量付属物がＬ字形ブラケット６３０に取り付けられると、荷重はねじアンカーブラインド孔１１７内のポスト６１９に直接伝達され、屋根瓦６４０の上のアンカーベースプレート６１１の安定した固定位置が、それに対するいずれかの圧壊又は損傷も防ぐシールド又はバリアとして機能する。実質上、アンカーベースプレート６１１及びねじアンカーベースプレート１１１の安定した位置は、それらの間に挟持される屋根瓦６４０との一定の間隔で共に螺合される場合、それらの間に保持される屋根瓦をＬ字形ブラケット６３０、デュアルポストアンカー６１０、及びフラッシュねじアンカー１１０にかかるいずれかの荷重からも隔離する。
【００７０】
[118]  図２２ａ及び図２２ｂは、デュアルポストアンカーアセンブリ８１０が、ねじ下部区間８３及びカラー８４を有する避雷針８０を取り付けるためにも用いられる方法の一実施例の分解及び完全取付図を示している。図２２ａにおいて、デュアルポストアンカーアセンブリ８１０は、代わりとして屋根膜３２及び屋根２１’の上に配設されるコーキングリング３８の上に位置決めされる。Ｃ字形クランプ部材８９及びケーブル９０は、その下のワッシャ４１及びナット３９と共に屋根２１’の下に位置決めされる。デュアルポストアンカー８１０の下部ポスト８１９は、コーキングリング３８と、屋根膜３２及び屋根２１’の貫通孔とを通って挿入される。その脚部８８における貫通孔８７を介するＣ字形クランプ８９は、ポスト８１９の下端に位置決めされ、ワッシャ４１及びナット３９は、下部ポスト８１９にねじ込まれ、必要に応じて締着される。アレンキーポート８４５も、ワッシャ４１及びナット３９とのその下部ポスト８１９の螺着を締め付け又は緩めるために用いることができる。
【００７１】
[119]  図２２ｂに最良に見られるように、避雷針８０のねじ下端８３は、次いで、上部ポスト８１８のねじブラインド孔８１９にねじ込まれて、それによって屋根２１’の上に避雷針８０を取り付け、それをクランプされた接地ケーブル９０に電気的に接続する。一方、接地ケーブル９０を屋根２１’の底部から離間させたい場合、ねじ延長ロッド（図示せず）を下部ポスト８１９のねじブラインド孔８２０にねじ込むことができ、その上に一対のナット及びワッシャを取り付けて、クランプケーブル８９と、順に屋根２１’から離間される接地ケーブル９０とをその間に挟持することができる。雄ねじ下部ポスト８１９及びそのねじ延長ロッド又は雌ねじ孔８２０は、他の付属品を固定又は保持するためにも用いることができる。
【００７２】
[120]  図２３は、本発明のアンカープラットフォームアセンブリ９１０の第１６の実施形態の分解断面図である。その中で、アンカーベースプレート９１１は、その下端がベースプレート９１１の底面９１３と面一になるように、ベースプレート９１１の上に概ね配設されているが、ベースプレート９１６内の孔９１４を通って延在する下端を有する雄ねじ円筒形上部ポスト９１８を有するデュアル円筒形ポスト９１６に溶接部９６を介して溶接されるのが好ましい。デュアルポスト９１６はまた、上部ポスト９１８の下端に取り付けられる上端と、アンカープレート９１１及び屋根２１’（図示せず）の下に延在するよう意図される下端とを有する雄ねじ円筒形下部ポスト９１９も有している。図示するように、デュアルポスト９１８、９１９は、一体型として予め作成されるのが好ましく、異なる直径のポストを備えるのが好ましい。これは通常、デュアルポスト、この場合はポスト９１９の最大に意図する直径の直径を有する金属製円筒形ロッドから開始し、同じ意図する長さのポスト９１８のロッドの上部を旋盤等で回転させて、下部ポスト９１９の意図する直径と一致するように上部の直径を縮小することによって達成される。結果として、より小径の区間又はポスト９１８は、貫通孔９１４の底部でアンカーベースプレート９１３の底面に当接するより大径のポスト９１９の上端と合流するネックを形成する。
【００７３】
[121]  図２３に例示するように、結果として、円筒形下部ポスト２１９は、上部ポスト２１８よりも大きな直径を有する。デュアルポスト２１６は、図７ｂ等の幾つかの先の実施形態における縮小したネック区間３５、１３５を有する雄ねじポストと同じ方法で、その貫通孔２１４を介してアンカーベースプレート２１１に結合される。より詳細には、一体型デュアルポスト９１６は、上部ポスト９１８及び下部ポスト９１９から構成され、それらの接続点で、ベースプレート９１１内の貫通孔９１４より僅かに小さい直径を有する縮小又は狭いネック区間を作成する一方で、下部ポスト２１９は、その上端がベースプレート９１１の底面９１３に突き当たる「肩部」から「ネック部分」として機能するように、より大きい直径を有する。従って、ここでも、この構成は、強固で剛性のある接合部と、ベースプレート９１１及びデュアルポスト９１６の容易に再現され、正確な９０°整列とを作成する。
【００７４】
[122]  図２３に更に示すように、尖ったシャフト８２を有する避雷針８０は、ひいては、雄ねじ上部ポスト９１８に螺合して固定される下側の雌ねじナット８５に取り付けられる。ここでも、クランプ８９は、接地ケーブル９０をクランプするために用いられ、ねじ下部ポスト９１９に受け入れ可能であり、屋根２１’（図示せず）の下面に対してナット３９及びワッシャ４１によってその上に保持される。屋根２１’等の支持構造に完全に取り付けられる場合、図１０ａ及び１０ｂに示すように、それもまた、本明細書中に先に説明したように、水返し材料、締結具、及び／又は接着剤により設置される。
【００７５】
[123]  前記は、ガラスレール、避雷針、接地ケーブル、及びソーラーパネル用Ｌ字形ブラケットと共に用いられて示したアンカーベースプレート及びねじアンカーアセンブリの使用法を具体的に説明し、示しているが、それらはまた、屋根又は他の建物の付属物、例えばアンテナ、テレビ用衛星放送受信アンテナ、ＨＶＡＣユニット等のような構造物を支持するために、多種多様な他の物体を固定及び支持するためにも用いることができる。
【００７６】
[124]  図４ａの検討において簡単に触れたように、本明細書中に説明した様々な実施形態の雌ねじ円筒形ブラインド孔を介して支持構造上に物体を取り付けるための「平行」ねじを有する円筒形機械的締結具を用いることが重要である。より詳細には、この種類の機械的締結具は、いわゆる「平行」ねじ、即ち、ヘッド及び円筒形ねじシャフトを有するボルトと、ヘッドのない円筒形棒状スタッドを有している。これは、いわゆる「テーパ」ねじを有する「円錐形」ねじとは区別される。平行ねじを有するかかる円筒形ボルト又はスタッド締結具の使用は、強固な接合部と、直線縁部も有するポストの雌ねじ円筒形ブラインド孔内への螺合受け入れによる保持力の様々な度合いを達成するための可変長さ及び幅の締結具に適応する多様性とを保証する。対照的に、補助孔１５を介してアンカーベースプレートを支持体に固定するために用いられる機械的締結具は、一般に、「テーパ」ねじを有するねじを含む任意の種類である可能性がある。
【００７７】
[125]  前述からも正しく理解できるように、アンカーベースプレートの形状及び数、ポストの形状、種類、及び数、雄ねじか平滑かどうか、ねじなし貫通孔、ねじブラインド孔の使用、及びそれらの配置もまた、金属、木、若しくはその他の複合材等の屋根又は他の建物支持構造物の性質、大きさ、材料等の特定の用途の具体的な詳細に応じて変更することもできる。例えば、ポストの長さ又は高さの好ましい範囲は、０インチ（フラッシュ）から１８インチまでのどこであってもよい。同様に、締結具、膜水返し材料、及びシーラントの種類もまた、屋根又は建物構造物と互換性があるよう選択されることが予想される。また、様々な実施形態の構成要素は、必要に応じて互いに置き換えられてもよい。
【００７８】
[126]  加えて、ねじアンカーは、高くした六角レンチアンカーとは別に、フラットヘッドドライバー又はアレンキーポートにより、アンカーを支持構造に固定又は取り外すために、ねじスロット又はアレンキーポートを用いることが好ましい。代わりに、星形ビット等のような他の手段を用いて、ユーザがアンカーを建物支持体に螺入すること又はそこから取り外したりすることを支援することができる。
【００７９】
[127]  様々な部品及び構成要素の寸法は、必要に応じて、又は好ましいように変更できることにも留意されたい。例えば、円筒形デュアルポストの上部及び下部のポストは、通常、直径を有し、１／８インチから２インチの範囲にあるのが好ましい。例えば、一方のポストは幅１／２インチを有していてもよいが、他方のポストは幅３／４インチを有するか、又はそれらは同じ幅を有していてもよい。無論、上部及び下部区間の直径は、要望通りに、互いに対して大きいか又は小さくてもよい。ナットは１／２インチ〜３インチの間が好ましいが、一般的な標準サイズは３／４インチであってもよい。ベースプレートの厚さは、必要に応じて、例えば、好ましくは１／１６インチ〜１インチ、好ましくは１／４インチの間で変更してもよい。付属のナットを有するボルト、又は別個のナットを有するボルトが使用可能であり、本明細書中で交換可能に用いられてもよい。好ましい実施形態において、ポストは、１／２インチの外径を有し、その内部孔は、３／８インチの直径を有している。ねじアンカーは、約１／１６インチの幅又は厚さ、及び約１と１／２インチの直径を有していてもよい。しかし、上述したように、ベースプレートフランジ及び孔の寸法は、ポスト及びその内部孔の長さだけでなく、変化する可能性がある。
【００８０】
[128]  ベースプレート及びポスト等のアンカーアセンブリのコンポーネントの材料はまた、例えば、ステンレス鋼、アルミニウム、青銅、銅等の金属、プラスチック、又は複合材料を含む様々な材料でできていてもよい。また、ベースプレート及びそのポスト、並びにねじアンカー及びそれらのフランジは、一体型コンポーネントとして一体的に形成されることが好ましい。しかし、ポストは、溶接又は他の手段を介してベースプレートに固定することができることは正しく理解することができる。
【００８１】
[129]  従って、発明の特定の実施形態を説明してきたが、先行技術が許す限り広い適用範囲である発明が可能であり、本明細書が同様に読まれることを意図しているため、発明がそれらに限定されることを意図していない。従って、発明の精神及び適用範囲から逸脱することなく、他の修正を行うことができることは、当業者によって正しく理解されるであろう。
【図１】
2021532292.tif 000003
【図２】
2021532292.tif 000004
【図３】
2021532292.tif 000005
【図４ａ】
2021532292.tif 000006
【図４ｂ】
2021532292.tif 000007
【図４ｃ】
2021532292.tif 000008
【図５ａ】
2021532292.tif 000009
【図５ｂ】
2021532292.tif 000010
【図６ａ】
2021532292.tif 000011
【図６ｂ】
2021532292.tif 000012
【図７ａ】
2021532292.tif 000013
【図７ｂ】
2021532292.tif 000014
【図８ａ】
2021532292.tif 000015
【図８ｂ】
2021532292.tif 000016
【図８ｃ】
2021532292.tif 000017
【図８ｄ】
2021532292.tif 000018
【図８ｅ】
2021532292.tif 000019
【図８ｆ】
2021532292.tif 000020
【図８ｇ】
2021532292.tif 000021
【図８ｈ】
2021532292.tif 000022
【図８ｉ】
2021532292.tif 000023
【図８ｊ】
2021532292.tif 000024
【図９ａ】
2021532292.tif 000025
【図９ｂ】
2021532292.tif 000026
【図１０ａ】
2021532292.tif 000027
【図１０ｂ】
2021532292.tif 000028
【図１１】
2021532292.tif 000029
【図１２】
2021532292.tif 000030
【図１３】
2021532292.tif 000031
【図１４】
2021532292.tif 000032
【図１５】
2021532292.tif 000033
【図１６】
2021532292.tif 000034
【図１７ａ】
2021532292.tif 000035
【図１７ｂ】
2021532292.tif 000036
【図１７ｃ】
2021532292.tif 000037
【図１８ａ】
2021532292.tif 000038
【図１８ｂ】
2021532292.tif 000039
【図１８ｃ】
2021532292.tif 000040
【図１９ａ】
2021532292.tif 000041
【図１９ｂ】
2021532292.tif 000042
【図１９ｃ】
2021532292.tif 000043
【図２０ａ】
2021532292.tif 000044
【図２０ｂ】
2021532292.tif 000045
【図２０ｃ】
2021532292.tif 000046
【図２１ａ】
2021532292.tif 000047
【図２１ｂ】
2021532292.tif 000048
【図２２ａ】
2021532292.tif 000049
【図２２ｂ】
2021532292.tif 000050
【図２３】
2021532292.tif 000051
【国際調査報告】
2021532292.tif 000052
2021532292.tif 000053